(57)【特許請求の範囲】
【請求項１】
情報記録媒体に記録されているコンテンツ情報を読み取る手段と、
標準規格に沿った形で内部的に利用するためのインデックスであって前記コンテンツ情報の選択箇所の再生、選択箇所をスキップした再生、順序を入れ替えた再生等の一般的な再生に用いられる第１のインデックスとは別に、再生開始時刻からの経過時間及び再生フレーム数を表すデータを含み、コンテンツ情報の検索、編集等の具体的用途を考慮した１又は２以上の第２のインデックスを作成するインデックス作成手段と、
該手段により作成された前記第２のインデックスを前記情報記録媒体に記録させる手段とを設けたことを特徴とする情報記録編集装置。
【請求項２】
前記インデックス作成手段が、前記コンテンツ情報に関連して第２のインデックスを自動的に作成するように構成されていることを特徴とする請求項１記載の情報記録編集装置。
【請求項３】
前記インデックス作成手段が、前記第２のインデックスの少なくとも１つを前記第１のインデックスを参照して作成するように構成されていることを特徴とする請求項１又は２記載の情報記録編集装置。
【請求項４】
前記インデックス作成手段が、テキストエディタで編集可能なように前記第２のインデックスを記述することを特徴とする請求項１乃至３のいずれか一項記載の情報記録編集装置。
【請求項５】
請求項１乃至４のいずれか一項記載の情報記録編集装置において、
前記第２のインデックスのいずれか１つを選択する手段と、
該手段により選択された前記第２のインデックスを編集する編集手段と、
該編集手段により編集された前記第２のインデックスに対応して、前記記録されているコンテンツ情報を再生するように制御する手段とを設けたことを特徴とする情報記録編集装置。
【請求項６】
コンテンツ情報とともに、標準規格に沿った形で内部的に利用するためのインデックスであって該コンテンツ情報の選択箇所の再生、選択箇所をスキップした再生、順序を入れ替えた再生等の一般的な再生に用いられる第１のインデックスが記録され、かつ、再生開始時刻からの経過時間及び再生フレーム数を表すデータを含み、前記記録されているコンテンツ情報を再生又は編集するための特定用途に用いられる１又は２以上の第２のインデックスが記録されていることを特徴とする情報記録媒体。
【発明の詳細な説明】
【０００１】
【発明の属する技術分野】
この発明は、光ディスク、光磁気ディスク、磁気ディスク、磁気テープ、メモリカード等、主にＡＶシステム、ＡＶ編集システムやコンピュータシステムの中で利用されるビデオデータやオーディオデータを含むデータを記録再生可能な情報記録編集装置及び情報記録媒体に関する。
【０００２】
【従来の技術】
近年、コンピュータ関連技術や情報技術の進展に伴い、様々な情報が電子化されており、映像や音声の情報も電子化されて電子情報として流通している。このような文章、映像或いは音声などを構成する電子情報や作品の内容自体は一般にコンテンツと呼ばれている。そのコンテンツを記録し得る媒体（情報記録媒体）には、光ディスク（ＣＤ，ＤＶＤ）、光磁気ディスク（ＭＯ）、磁気ディスク（ＨＤ，ＦＤ，ＬＳ１２０，ＺＩＰ）、磁気テープ、メモリカード（ＲＡＭ，ＲＯＭ）等があるが、広く利用されているものとしては、ＣＤ−ＤＡ，ＤＶＤ−Ｖｉｄｅｏ，Ｖｉｄｅｏ−ＣＤなどがある。
【０００３】
こうしたコンテンツの情報記録媒体には、映像情報（ビデオデータ、映像データともいう）や音声情報（オーディオデータ、音声データともいう）というコンテンツを構成する電子情報（以下「コンテンツ情報」という）の他にも、電子情報を再生する際の便宜から各標準規格に沿った形で内部的に利用するためのデータが記録されている。このようなコンテンツを構成するデータそのものではなく、それを利用するためのデータをインデックスという。このインデックスは、電子情報を再生する装置（再生装置）によって解釈され、ユーザが再生を部分的にスキップしたり、任意の箇所に記録されているコンテンツを選択して再生させたり、コンテンツの再生順序を入れ替えたりするときに利用される。なお、映像インデックス情報を記録する従来技術に関して、例えば、特開平１１−２８８４２４号公報が挙げられる。
【０００４】
【発明が解決しようとする課題】
上述した従来の情報記録媒体は、インデックスが記録されていることによって再生に便利な構成となっているが、コンテンツを記録する時にはインデックスをそれなりの手間をかけて作成した上で、付加しなければならない（オーサリング）。ところが、それなりの手間をかけているとはいっても、多くの場合、インデックスを作成するときは、ごく一般的に行われる比較的単純な再生しか考慮されてなく、記録されているインデックスも、コンテンツの内容が反映されていないし、その細部にまで踏み込んだ再生や編集には対応していないことが多かった。
【０００５】
こうした問題点に対し、インデックスを利用しやすいように拡張して記録し、情報記録媒体の応用範囲を拡大できるようにすることも考えられる。しかし、そうすると、情報記録媒体は、汎用性が低下して既に市場に流通している再生装置との互換性が確保しにくくなったり、多くの再生装置で新たな情報記録媒体の再生ができなくて停止やハングアップを引き起こしたりするという欠点が浮上してくる。例えば、ＤＶＤ−Ｖｉｄｅｏ  Ｒｅｃｏｒｄｉｎｇ  Ｆｏｒｍａｔでは、インデックス機構を拡張しただけではなく、ファイルの配置に関するファイルシステムも拡張しており、互換性の確保を犠牲にしたアプローチを取っている。
この発明は、上記の問題点を解決するためになされたもので、情報記録編集装置及び情報記録媒体において、一枚の情報記録媒体の多目的利用を可能として情報記録媒体の汎用性を高めるとともに、安定確実な再生がなされるようにすることを目的とする。
【０００６】
【課題を解決するための手段】
この発明は、上記の目的を達成するため、情報記録媒体に記録されているコンテンツ情報を読み取る手段と、標準規格に沿った形で内部的に利用するためのインデックスであって上記コンテンツ情報の選択箇所の再生、選択箇所をスキップした再生、順序を入れ替えた再生等の一般的な再生に用いられる第１のインデックスとは別に、再生開始時刻からの経過時間及び再生フレーム数を表すデータを含み、そのコンテンツ情報の検索、編集等の具体的用途を考慮した１又は２以上の第２のインデックスを作成するインデックス作成手段と、その手段により作成された上記第２のインデックスを上記情報記録媒体に記録させる手段とを設けた情報記録編集装置を特徴とする。
この情報記録編集装置は上記インデックス作成手段が、上記コンテンツ情報に関連して第２のインデックスを自動的に作成するように構成されているとよい。
また、いずれの情報記録編集装置でも、上記インデックス作成手段が上記第２のインデックスの少なくとも１つを上記第１のインデックスを参照して作成するように構成されているとよい。
【０００７】
さらに、上記インデックス作成手段が、テキストエディタで編集可能なように上記第２のインデックスを記述するように構成されているのが好ましい。
さらにまた、いずれの情報記録編集装置でも、第２のインデックスのいずれか１つを選択する手段と、その手段により選択された上記第２のインデックスを編集する編集手段と、その編集手段により編集された上記第２のインデックスに対応して、上記記録されているコンテンツ情報を再生するように制御する手段とを設けたものが好ましい。
そしてこの発明は、コンテンツ情報とともに、標準規格に沿った形で内部的に利用するためのインデックスであってそのコンテンツ情報の選択箇所の再生、選択箇所をスキップした再生、順序を入れ替えた再生等の一般的な再生に用いられる第１のインデックスが記録され、かつ、再生開始時刻からの経過時間及び再生フレーム数を表すデータを含み、上記記録されているコンテンツ情報を再生又は編集するための特定用途に用いられる１又は２以上の第２のインデックスが記録されている情報記録媒体を提供する。
【０００８】
【発明の実施の形態】
以下、この発明の実施の形態を図面に基づいて詳細に説明する。なお、以下の説明では、情報記録媒体としてスパイラル状（螺旋状）のトラックを有する光ディスクを例にとり、情報記録編集装置は光ディスクドライブを例にとって説明する。
図１は、この発明による情報記録編集装置の実施の形態である光ディスク記録編集装置１の内部構成を示すブロック図である。この光ディスク記録編集装置１は、光ディスクドライブ２と、ホストコンピュータ３とを有して構成され、光ディスクドライブ２とホストコンピュータ３とが外部インターフェイス４を介して接続されている。
光ディスクドライブ２は、駆動モータ１０と、粗動モータ１１と、光ピックアップ１２と、制御手段１３とを有して構成されている。駆動モータ１０は光ディスク２０を回転させるモータであり、内蔵するモータドライバにより駆動される。粗動モータ１１は光ピックアップ１２を光ディスク２０の半径方向に移動させるモータである。光ピックアップ１２は従来公知の半導体レーザ光源から射出させたレーザ光を光ディスク２０に照射して記録されている情報を読み取り、その反射光を信号処理部１９に入力する。
【０００９】
制御手段１３は回転制御部１４と、粗動モータ制御部１５と、ピックアップ制御部１６とを有するとともに、コントローラ１７と、キャッシュメモリ１８及び信号処理部１９を有している。回転制御部１４は駆動モータ１０に内蔵されるドライバを制御して線速度又は角速度が一定になるように光ディスク２０の回転を制御する。粗動モータ制御部１５はレーザ光のスポットが光ディスク２０の目標とする箇所に位置するように粗動モータ１１の回転を制御し、ピックアップ制御部１６は光ピックアップ１２の動作を制御する。コントローラ１７は、ＣＰＵ，ＲＡＭ，レジスタ，プログラムを記録したＲＯＭ，各種の設定に必要な情報を保持する不揮発性ＲＡＭなどを内蔵し、制御手段１３全体の動作を制御するとともに、光ディスク２０に対するデータの記録の開始、中断、再開等に必要な動作や光ディスク２０のセットや取り出し等に必要な動作を制御する。キャッシュメモリ１８は光ディスク２０に記録し、又は読み出してホストコンピュータ３とで通信されるデータを記憶する手段である。信号処理部１９は光学系、受光素子等を内蔵していて、光ピックアップ１２から出力される反射光を入力して光ディスク２０に記録されているデータの再生信号を出力し、ホストコンピュータ３から送信される光ディスク２０に記録するデータの書込み信号を光ピックアップ１２に出力する。
【００１０】
ホストコンピュータ３は、ＣＰＵ２１と、ＲＴＣタイマ２２と、ＲＯＭ２３と、ＲＡＭ２４とを有し、ＡＴＡＰＩインターフェイス２５と、エンコーダ２６と、Ａ／Ｄ変換部２７と、Ｄ／Ａ変換部２８とを有している。ＣＰＵ２１は、ＲＯＭ２３に記憶されているプログラムにしたがってホストコンピュータ３の全体の動作を制御する。ＲＴＣタイマ２２は、実時刻を計測するＲｅａｌ  Ｔｉｍｅ  Ｃｌｏｃｋ（リアルタイムクロック）と、時間を計測するタイマとからなり、インデックス生成のトリガーを生成する手段である。ＲＯＭ２３はＣＰＵ２１の処理するプログラムや恒久的なデータを記憶し、ＲＡＭ２４はＣＰＵ２１の処理する一時的なデータ等を記憶する。ＡＴＡＰＩインターフェイス２５は、ＡＴ  Ａｔｔａｃｈｍｅｎｔ  Ｐａｃｋｅｔ  Ｉｎｔｅｒｆａｃｅの規格にしたがって光ディスクドライブ２とのデータ通信を行う。エンコーダ２６は動画を再生する映像データ等を圧縮する。Ａ／Ｄ変換部２７は、外部から入力する映像信号をアナログからデジタル信号への変換（ＡＤ変換）を行い、Ｄ／Ａ変換部２８はデジタル信号からアナログ信号への変換（Ｄ／Ａ変換）に行う。このＡ／Ｄ変換部２７の処理は後述するアンテナやネットワークからの入力に対応して行われ、Ｄ／Ａ変換部２８は後述する表示装置への出力に対応して行われる。
【００１１】
以上の光ディスクドライブ２と、ホストコンピュータ３とは外部インターフェイス４を介してデータ通信を行うが、そのデータ通信は、ホストコンピュータ３からコマンドを発行し、そのコマンドを光ディスクドライブ２が受けることによって行われる。
以上のように構成された光ディスク記録編集装置１を利用して光ディスク２０に対して映像データ等のコンテンツ情報の読み書きを行う情報記録編集システムは、図２に示すような第１の情報記録編集システム３０と、第２の情報記録編集システム４０とが考えられる。その図２は光ディスク記録編集装置１を利用した第１の情報記録編集システム３０と、第２の情報記録編集システム４０のシステム構成図を示したものである。第１の情報記録編集システム３０は、ユーザビリティ（使い勝手）がよく簡単に利用できるようにしたもので、光ディスク記録編集装置１と、リモコン（リモートコントローラ）３１とを有し、必要に応じて図に示すように表示装置３２を有するようにするとよい。この第１の情報記録編集システム３０では、光ディスク記録編集装置１がアンテナ，ＣＡＴＶ（ｃａｂｌｅ  ｔｅｌｅｖｉｓｉｏｎ），ネットワークなどのメディア３３からビデオデータやオーディオデータを受信して入力し、所定の光ディスク２０に記録するようになっている。リモコン３１は遠隔から光ディスク記録編集装置１に情報を入力して作動させる入力装置であり、表示装置３２は入力されるデータの内容等を表示する液晶ディスプレイ等の表示装置である。
【００１２】
第２の情報記録編集システム４０は記録されているコンテンツ情報の内容を考慮したコンテンツ情報の詳細な編集及び検索操作が可能となるようにしたもので、光ディスク記録編集装置１と、キーボード・マウス４１とを有し、必要に応じて図に示すように表示装置４２を有するとよい。第２の情報記録編集システム４０の場合、光ディスク記録編集装置１は図示しないパーソナルコンピュータ（ＰＣ）に内蔵され、そのパーソナルコンピュータを通じてコンテンツ情報を入力し、光ディスク２０に記録する。キーボード・マウス４１は、そのパーソナルコンピュータに操作情報や指示情報を入力し、後述するインデックスの選択手段、編集手段として作動する。また、表示装置４２は表示装置３２と同様に液晶ディスプレイなどからなり、入力されるデータの内容等を表示する。
【００１３】
次に、光ディスク記録編集装置１の動作内容について具体的に説明する。光ディスク記録編集装置１は、例えば、上述した第１の情報記録編集システム３０又は第２の情報記録編集システム４０のような情報記録編集システムにおいて利用されるが、いずれにおいても、光ディスクドライブ２のコントローラ１７又はホストコンピュータ３のＣＰＵ２１がインデックス作成手段として作動し、後述する第１のインデックスと第２のインデックスを作成する。そして、光ディスクドライブ２がホストコンピュータ３で作成されたコンテンツ情報と第１のインデックスとを書込む書込み命令を処理して光ディスク２０に記録させ、これとは別に第２のインデックスを書込む書込み命令を処理して、例えばコンテンツ情報の記録動作中又は記録動作終了後の適当なタイミングにおいて記録させる。これにより、光ディスク２０に対し、コンテンツ情報とともに、第１のインデックスと第２のインデックスとが記録されることになり、目的に応じた複数のインデックスを記録することができるようになるので、一枚の光ディスク２０の多目的利用が可能となる。
【００１４】
この場合、第１のインデックスは、標準規格に沿った形で内部的に利用するためのインデックスであって、既存の情報記録再生装置による比較的単純な一般的な再生（選択箇所の再生、選択箇所をスキップした再生、順序を入れ替えた再生など）に用いられ、かつ必要に応じて既存の情報記録再生装置との互換性を確保し得る内容のデータで作成する。すなわち、この第１のインデックスは、主として光ディスクに記録されている映像を再生するために用いられる再生用インデックスであって、例えば、光ディスク全体での各映像フレームの順番（チャプター）などの情報が用いられる。
【００１５】
これに対し、第２のインデックスは記録されているコンテンツ情報の検索、編集等の具体的用途を考慮して作成し、例えば再生開始時刻（例えばグリニッジ標準時）からの経過時間や再生フレーム数を表すデータ（例えばテキストデータ）で作成する。すると、光ディスク２０は、第１のインデックスを利用した従来から行われている一般的な比較的単純な再生はもとより、第２のインデックスを利用して、例えば再生開始時刻（例えばグリニッジ標準時）からの経過時間や再生フレーム数を検索キーに用いた検索、編集等の個別具体的な用途を実現することができる。
続いて、光ディスクドライブ２のコントローラ１７又はホストコンピュータ３のＣＰＵ２１がインデックス作成手段として作動する場合の処理手順について図３のフローチャートを参照して説明する。以下の説明では、記録すべきコンテンツ情報として映像データを例にとり、上述した第１の報記録編集システム３０のシステム構成を想定して説明する。なお、図３及び後述する図４においてはステップをＳと略記している。
【００１６】
光ディスク記録編集装置１は、リモコン３１から入力する情報により記録開始が指示されるとステップ１に進み、光ディスク２０に記録すべき映像データをエンコーダ２６に送り込み、必要に応じて圧縮処理や変換を行う。このステップ１を実行後ステップ２に進み、コントローラ１７（又はＣＰＵ２１）がインデックス作成手段として作動し、記録すべき映像データのフレーム数をカウントする。このカウントされたフレーム数は後のステップ５でインデックスを自動的に記録する場合のキーになる。また、映像データが表す場面の転換（場面転換）などの検出も容易に行えるから、この場面転換をフレーム数の代わりに又はフレーム数とともに検出して、第２のインデックスを自動的に記録する場合のキーにしてもよい。次に、ステップ３に進み、エンコーダ２６から出力される映像データに第１のインデックスを付加する。次に、ステップ４に進み、リモコン３１から第２のインデックス作成の指示入力が有るか否かを判断し、その指示入力があればステップ５に進み、無ければステップ６に進む。ステップ５に進むと、コントローラ１７（又はＣＰＵ２１）がインデックス作成手段として作動し、ステップ２で作成している情報（映像データのフレーム数や、場面転換）から１又は２種類以上の第２のインデックスを自動的に作成する。その後ステップ６に進み、必要に応じてファイルシステムデータを作成する。
【００１７】
さらに、続くステップ７では、以上の各ステップで作成されたデータ（圧縮、変換等された映像データと第１のインデックス、第２のインデックス、ファイルシステムデータ）が光ディスクドライブ２に送り込まれ、キャッシュメモリ１８を介して信号処理部１９に入力され、書込むべき規定の場所が指定されて光ディスク２０に記録される。こうして、第１のインデックスとともに映像データが記録されることになる。また、ファイルシステムデータが更新又は追加されることになるため、光ディスク記録編集装置１以外のコンピュータシステムにおいて、光ディスク２０を認識して、コンテンツ情報を読み書きすることが可能になる。第２のインデックスもこれらのデータとは別に記録されている。なお、この第２のインデックスを記録する場所は、光ディスク記録編集装置１の物理的な特性にも依存するが、できる限り第２のインデックス専用に確保された場所であるのが好ましい。
【００１８】
次いでステップ８に進み、リモコン３１からの終了指示があるか否かを判断して終了指示があればステップ９に進み、無ければステップ１に戻る。ステップ９に進むと、ステップ８までの一連の動作全体に対するインデックス（例えば、記録されている映像のタイトル等）を第２のインデックスとして作成し、後続のステップ１０ではファイルシステムデータを作成する。そして、ステップ１１に進むと、ステップ９で作成した第２のインデックスと、ステップ１０で作成したファイルシステムデータとが光ディスクドライブ２に送り込まれて光ディスク２０に記録され、これをもって一連の処理が終了する。
以上のように、光ディスク記録編集装置１では、記録されているコンテンツ情報である映像データに関連しそのフレーム数や場面転換を用いて第２のインデックスを自動的に作成しているから（ステップ２，５）、第２のインデックスを作成するのに要する余計な手間が掛からない。したがって、光ディスク記録編集装置１は、ユーザビリティの高いものとなっている。
【００１９】
続いて、光ディスク記録編集装置１により、第１のインデックスを参照して１又は２以上の第２のインデックスを作成する手順について、図４のフローチャートを参照して説明する。なお、以下の説明では図３と共通するステップについては説明を省略乃至簡略化する。
処理がスタートすると、図３のフローチャートと同様にしてステップ１からステップ８を実行後ステップ１２に進むと、コントローラ１７又はホストコンピュータ３のＣＰＵ２１がインデックス作成手段として作動し、それまでに光ディスク２０に記録した第１のインデックスを参照して新たなインデックスを第２のインデックスとして作成する。これは、主に再生用として記録している第１のインデックスを第２のインデックスと共通の基盤で扱えるような新たなインデックスに変換し、その新たなインデックスを第２のインデックスとする処理である。このステップ１２を実行後ステップ９に進み、ステップ９以降ステップ１１までを図３のフローチャートと同様に実行して、ステップ１２で作成した新たなインデックスである第２のインデックスと、ファイルシステムデータとが光ディスク２０に記録される。
【００２０】
このようにして、第１のインデックスを第２のインデックスと共通の基盤で扱えるような新たなインデックスに変換し、それを第２のインデックスとして作成することにより、第１のインデックスにより得られる情報も第２のインデックスを利用し得る環境と同じ環境内に取り込み、それ以降のプロセスで失われることなく扱えるようになる。また、第２のインデックスを、第１のインデックスを変換して作成できるということから、光ディスク２０に第１のインデックスさえ記録されていれば、その後の処理において第２のインデックスを作成することができるようになる。したがって、光ディスク２０が既存のあるいは非対応の情報記録編集装置で作成されていても、第１のインデックスを参照して第２のインデックスを作成することにより、複数のインデックスを利用できるようになる。また、第１のインデックスをやや乏しい動作環境下で暫定的に記録しておき、その後の工程で第２のインデックスを記録することもでき、情報記録編集装置の設計の自由度を向上させることができる。
【００２１】
ところで、上述した第２のインデックスは、可読（肉眼で判読可能）なテキストデータで記述することができる。例えば、図５に示す第２のインデックス６０のようにして記述することができる。この第２のインデックス６０は、ボリューム名から作成したインデックス６０ａ（＜ＶＯＬＵＭＥ＞ＮＥＷ  ＣＩＮＥＭＡ）と、ボリュームＮＯから作成したインデックス６０ｂ（ＶＯＬＵＭＥ０１＜／ＶＯＬＵＭＥ＞）と、タイトルから作成したインデックス６０ｃ（＜ＴＩＴＬＥ＞ＮＥＷ  ＣＩＮＥＭＡ）と、タイトルのバージョンから作成したインデックス６０ｄ（＜／ＴＩＴＬＥ＞＜ＶＥＲ＞１．０＜／ＶＥＲ＞）とを有し、そのほかに、再生開始ポジションを示すインデックス６０ｅと、各映像の場面ごとの番号（Ｃ１〜Ｃ６）と開始時間とからなる複数（６件）のインデックス６０ｆとを有している。
この第２のインデックス６０は、肉眼で判読可能なテキストデータで記述されているので内容が理解しやすい。このため、第２のインデックス６０を記録している光ディスク２０は、その種類の判別やインデックスの種類の判別を素早く容易に行うことができる。
【００２２】
従来のインデックスの記録方式は、多くの場合、バイナリデータのまま各種の情報を記録する方式であったが、情報記録媒体の記録容量が増えて余裕があるようになってきたことから、様々な内容のインデックスの生成及び記憶が実現する可能性が広がることになる。また、特に標準的なメタ言語ＭＰＥＧ（Ｍｏｔｉｏｎ  Ｐｉｃｔｕｒｅ  Ｅｘｐｅｒｔｓ  Ｇｒｏｕｐ）や、ＸＭＬ（Ｅｘｔｅｎｓｉｂｌｅ  Ｍａｒｋｕｐ  Ｌａｎｇｕａｇｅ）などで記述したインデックスを記録することにより、その情報記録媒体のコンピュータシステムやネットワークシステム中の再利用を促進することができる。しかも、インデックスをテキストラインエディタ等で編集することも可能になるから、第１の情報記録編集システム３０のように、高価で複雑な専用システムに依存せずに簡単に利用できる情報記録編集システムでも、インデックスを編集し得る可能性が高まることになる。
【００２３】
第１の情報記録編集システム３０及び第２の情報記録編集システム４０では、以上のようにして光ディスク２０に対し第１のインデックスと、第２のインデックスとを記録させた後、それぞれのインデックスの選択手段であり、編集手段であるリモコン３１，キーボード・マウス４１を操作して、作成された第２のインデックスの中からいずれか１つを選択して編集することができる。例えば、第２のインデックス６０は、インデックス６０ｆを構成する各明細の順序を図６に示すように入れ替えるなどして編集することができる（“Ｃ５”及び“Ｃ６”の明細を選択して“Ｃ１”と“Ｃ２”の明細の間に移動させるとともに、再生開始ポジションを示すインデックス６０ｅを“Ｃ３”と“Ｃ４”の明細の間に挿入し、さらに“Ｃ４”の明細の後に“Ｃ３”の明細を追加する）。
【００２４】
また、コントローラ１７を作動させて編集後の第２のインデックスを読み込ませると、コントローラ１７が再生開始ポジションを発見して表示装置３２に再生開始候補を表示させる。図６では、再生開始ポジションが２箇所に設けられているので、ユーザは、２つの中から再生開始ポジションを選択することができる。その選択後、コントローラ１７が制御して記録されている映像を編集後の第２のインデックス６０にしたがい自動的に再生させる。すると、編集前は図７に示すように、Ｃ１〜Ｃ６までが順に再生されるところ、編集後は図８に示すように、順序が変わるなどして映像が再生される。
このように、選択及び編集して生成された第２のインデックスに応じて映像が再生されるようになると、例えば、任意の要求に合致した場面のみを再生したり、再生時間が限定されたダイジェスト版のように、映像をユーザの好みに応じて再生することが可能になる。また、このような第２のインデックスを光ディスク２０に記録しておくことができるから、光ディスク２０を他の場所に持っていっても選択及び編集された第２のインデックスに沿って映像を再生することが可能になる。
【００２５】
【発明の効果】
以上説明してきたように、この発明による情報記録編集装置及び情報記録媒体によれば、情報記録媒体に対して、コンテンツ情報とともに、第１のインデックスと第２のインデックスとが記録され、複数のインデックスを記録できるようになるので、情報記録媒体の汎用性が高まり多目的利用が可能となる。また、他の再生装置との互換性も得られ、安定確実な再生が可能となる。
【図面の簡単な説明】
【図１】この発明による情報記録編集装置の実施の形態である光ディスク記録編集装置の内部構成を示すブロック図である。
【図２】図１に示した光ディスク記録編集装置を利用した第１の情報記録編集システムと、第２の情報記録編集システムのシステム構成図である。
【図３】コントローラ又はＣＰＵがインデックス作成手段として作動する場合の処理手順を示すフローチャートである。
【図４】コントローラ又はＣＰＵがインデックス作成手段として作動する場合の別の処理手順を示すフローチャートである。
【図５】テキストデータで記述された第２のインデックスの一例を示す図である。
【図６】図５のテキストデータを編集した後の第２のインデックスの一例を示す図である。
【図７】図５に示す第２のインデックスによる順序にしたがい再生される映像の各場面を示す図である。
【図８】図６に示す第２のインデックスによる順序にしたがい再生される映像の各場面を示す図である。
【符号の説明】
１：光ディスク記録編集装置  ２：光ディスクドライブ
３：ホストコンピュータ    ４：外部インターフェイス
１０：駆動モータ                １１：粗動モータ
１２：光ピックアップ              １３：制御手段
１４：回転制御部          １５：粗動モータ制御部
１６：ピックアップ制御部      １７：コントローラ
１８：キャッシュメモリ        １９：信号処理部
２０：光ディスク              ２１：ＣＰＵ
２２：ＲＴＣタイマ            ２３：ＲＯＭ
２４：ＲＡＭ                  ３１：リモコン
２５：ＡＴＡＰＩインターフェイス
２６：エンコーダ              ２７：Ａ／Ｄ変換部
２８：Ｄ／Ａ変換部            ３３：メディア
３０：第１の情報記録編集システム
４０：第２の情報記録編集システム
４１：キーボード・マウス    ４２：表示装置
６０：第２のインデックス
【図１】
0004028246.tif 000002
【図２】
0004028246.tif 000003
【図３】
0004028246.tif 000004
【図４】
0004028246.tif 000005
【図５】
0004028246.tif 000006
【図６】
0004028246.tif 000007
【図７】
0004028246.tif 000008
【図８】
0004028246.tif 000009